(57)【要約】【課題】カートリッジケースに湾曲したドアとばねを組み付ける作業の自動化を容易に実現することができる磁気テープカートリッジを提供することを課題とする。【解決手段】上ハーフと下ハーフ１Ｂからなるカートリッジケースと、カートリッジケースの側壁部分の角部に形成された磁気テープ引出口と、前記磁気テープ引出口を開閉する湾曲したスライドドア６と、下ハーフ１Ｂの底面１１に形成され、スライドドア６がスライド自在に係合するガイド溝１２とを備える磁気テープカートリッジであって、ガイド溝１２から離れて形成されたピン１３と、ピン１３の近傍に形成される凸部１４と、ピン１３に嵌め込まれるねじりコイルばね７とを有し、ねじりコイルばね７の一方の腕７ａはスライドドア６の後端部６４に、他方の腕７ｂは凸部１４に接し、スライドドア６を磁気テープ引出口の閉位置に付勢するように構成する。【選択図】　図２
2004133995.tif 000002
【特許請求の範囲】
【請求項１】
上ハーフと下ハーフからなるカートリッジケースと、
前記カートリッジケースの側壁部分の角部に形成された磁気テープ引出口と、
前記磁気テープ引出口を開閉する湾曲したドアと、
前記カートリッジケースの底面に形成され、前記ドアがスライド自在に係合するガイド溝とを備える磁気テープカートリッジであって、
前記ガイド溝から離れて形成されたピンと、
前記ピンの近傍に形成される凸部と、
前記ピンに嵌め込まれるねじりコイルばねとを有し、
前記ねじりコイルばねの一方の腕は前記ドアの端部に、他方の腕は前記凸部に接し、前記ドアを前記磁気テープ引出口の閉位置に付勢していることを特徴とする磁気テープカートリッジ。
【発明の詳細な説明】
【０００１】
【発明の属する技術分野】
本発明は、磁気テープカートリッジに関し、詳しくは、カートリッジケースに湾曲したドアとばねを組み付ける作業の自動化を容易に実現することができる磁気テープカートリッジに関するものである。
【０００２】
【従来の技術】
一般に、コンピュータ等のデータバックアップ用の外部記録媒体として、記録媒体である磁気テープが巻装された単一のリールを収納して構成される磁気テープカートリッジがある（例えば、特許文献１参照）。
【０００３】
【特許文献１】
特開平１１−２６５５６０号公報（第２図）
【０００４】
この種の磁気テープカートリッジとしてはいろいろな種類のものがあり、近年は、ドライブ装置内に挿入した際の磁気テープカートリッジの収容スペースを小さくするために、カートリッジケースの角部に開口を形成し、この開口を横長の薄板を湾曲した形状のドアで開閉するように構成した磁気テープカートリッジが開発されている。
【０００５】
このような磁気テープカートリッジでは、ドアを開閉するために、ドアをケースに対してスライド自在な構造とするとともに、ドアにドア側ばね掛け部を設け、カートリッジケースの底面にケース側ばね掛け部を設け、ドア側ばね掛け部とケース側ばね掛け部に掛け渡された引張コイルばねによって、ドアを常時閉方向に付勢しておき、ドアの外面に形成された操作用突片をドライブ装置のローディング機構に付属する操作アームによって押動することによって、ドアの開操作を行う構造が考えられる。
【０００６】
そして、このような構造の磁気テープカートリッジにおけるドア及び引張コイルばねの組付作業を自動化する方法としては、まず、ドアをロボットハンドで把持してカートリッジケースの底面に形成されたガイド溝にセットし、その後、引張コイルばねをロボットハンドで把持して、引張コイルばねの両端をドア側ばね掛け部と、ケース側ばね掛け部に取り付ける組付方法が考えられる。
【０００７】
【発明が解決しようとする課題】
しかしながら、前記した組付方法では、カートリッジケースのガイド溝にセットされたドアが左右にぐらついたり傾いたりすると、ドア側ばね掛け部のケース側ばね掛け部に対する位置がずれるため、ロボットハンドで引張コイルばねの両端に形成されるリング状の部分をドア側ばね掛け部とケース側ばね掛け部に通して取り付ける作業が困難になるという問題があった。また、ドアとケース側ばね掛け部との隙間が狭いと、引張コイルばねの両端をロボットハンドで把持して、ドア側ばね掛け部とケース側ばね掛け部に取り付ける際に、ロボットハンドがドアと干渉するおそれがあり、その組付作業が困難になるという問題があった。つまり、前記した組付方法では、カートリッジケースにドアと引張コイルばねを組み付ける作業の自動化が困難であるという問題があった。
【０００８】
そこで、本発明の課題は、カートリッジケースに湾曲したドアとばねを組み付ける作業の自動化を容易に実現することができる磁気テープカートリッジを提供することにある。
【０００９】
【課題を解決するための手段】
本発明の磁気テープカートリッジは、上ハーフと下ハーフからなるカートリッジケースと、前記カートリッジケースの側壁部分の角部に形成された磁気テープ引出口と、前記磁気テープ引出口を開閉する湾曲したドアと、前記カートリッジケースの底面に形成され、前記ドアがスライド自在に係合するガイド溝とを備える磁気テープカートリッジであって、前記ガイド溝から離れて形成されたピンと、前記ピンの近傍に形成される凸部と、前記ピンに嵌め込まれるねじりコイルばねとを有し、前記ねじりコイルばねの一方の腕は前記ドアの端部に、他方の腕は前記凸部に接し、前記ドアを前記磁気テープ引出口の閉位置に付勢していることを特徴とする。
【００１０】
本発明の磁気テープカートリッジによれば、ピンにねじりコイルばねのコイル部分を外嵌させておいて、ドアの端部をねじりコイルばねの一方の腕に掛け、ねじりコイルばねをねじりながらドアをガイド溝に嵌めることでドアの組付けを完了できる。すなわち、ドアを閉じるばねを決まった位置に組んだ状態でドアの組付けが可能なため、ロボットによるドアの組立ても容易である。
また、ガイド溝に予めドアをセットしてから組付けを行う場合は、このドアから離れて形成されるピンにロボットハンドにより両腕が閉じられた状態のねじりコイルばねを取り付け、その後ロボットハンドを抜き取ることで、二本の腕がドアの端部と凸部に係合する。そのため、従来のようにロボットハンドとドアとの干渉を考慮する必要がなく、また、ねじりコイルばねの腕をドアの端部と凸部に係合させればよいので、ドアがぐらついても、ロボットハンド等で容易に組み付ける作業を行うことができる。
【００１１】
また、前記ピンは、前記下ハーフと前記上ハーフに分割して設けられ、それぞれの先端で互いに嵌合できるように形成されていることが好ましい。
このように構成すれば、磁気テープカートリッジを組み立てた際は、ねじりコイルばねが取り付けられたピンが互いに嵌合しているので、落下等によってカートリッジケースに強い衝撃が加わって、上ハーフと下ハーフの間に多少の隙間が生じた場合でも、嵌合部が完全に外れる事がないので、ねじりコイルばねの脱落を確実に防止できる。
【００１２】
さらに、前記ドアの端部には、前記一方の腕が掛かる切欠部が形成されていることが好ましい。
このように構成すれば、ねじりコイルばねの一方の腕をドアの端部に確実に係合できるので、このねじりコイルばねにより、ドアを安定して閉位置に付勢することができる。
【００１３】
【発明の実施の形態】
以下、本発明に係る磁気テープカートリッジ及びその組立方法の一実施の形態について、適宜図面を参照して詳細に説明する。
【００１４】
まず、本発明に係る磁気テープカートリッジについて、図１、図２及び図３を参照して説明する。参照する図面において、図１は、本発明に係る磁気テープカートリッジの構成を分解して示す斜視図である。また、図２は、図１に示した磁気テープカートリッジに含まれる下ハーフの内面の要部を拡大して示す斜視図である。また、図３は、図２に示した磁気テープカートリッジ内の要部拡大断面図（図４に示すＸ−Ｘ線断面図）であり、図４は、図２に示した磁気テープカートリッジ内の要部拡大平面図である。
【００１５】
図１に示すように、磁気テープカートリッジＭＣは、下ハーフ１Ｂと上ハーフ１Ａに分割して構成されたカートリッジケース１の内部に、記録媒体である磁気テープＭＴが巻装された単一のリール２、リール２の回転をロックするためのロックプレート３及び圧縮コイルばね４、リール２のロック状態を解除するためのリリースパッド５、カートリッジケース１の角部１Ｃに下ハーフ１Ｂと上ハーフ１Ａに跨って形成された磁気テープ引出口１Ｄを開閉するスライドドア６、スライドドア６を磁気テープ引出口１Ｄの閉位置に付勢するねじりコイルばね７、スライドドア６が閉状態のときに磁気テープＭＴの先端に取り付けられたリーダピンＬを係止する板ばね８、誤消去防止爪９、カートリッジメモリ１０等を組み付けて構成されている。ここで、カートリッジケース１の角部１Ｃは、カートリッジケース１の側壁部分の一部を切り欠いて斜めに形成されている。なお、「スライドドア６」は、特許請求の範囲における「ドア」に相当する。また、「上ハーフ１Ａ、下ハーフ１Ｂ」とは、組付時において上側になるものを「上ハーフ１Ｂ」といい、下側になるものを「下ハーフ１Ｂ」という。
【００１６】
図１、図２に示すように、スライドドア６は、横長の薄板で、その板厚方向に湾曲した形状を有している。そして、スライドドア６の上端及び下端には、上ハーフ１Ａ及び下ハーフ１Ｂに形成されるガイド溝１２に摺動自在に嵌め込まれる摺動用突起６０が複数形成されている。
【００１７】
スライドドア６の外面（磁気テープカートリッジＭＣの外側に面する面）には、スライドドア６の開操作を行うための操作用突片６１が突設されている。この操作用突片６１は、磁気テープカートリッジＭＣが組み立てられた際は、上ハーフ１Ａの側壁部分に形成された操作用開口部１Ｅから露出している。そして、この操作用突片６１をドライブ装置のローディング機構に付属する操作アームによって押動することによって、スライドドア６の開操作が行われる。
【００１８】
スライドドア６の内面（磁気テープカートリッジＭＣの内側に面する面）の後端部６４（スライドドア６を下ハーフ１Ｂに組み付けたときに開方向側となる端部）には、ねじりコイルばね７の一方の腕７ａが係合できる切欠部６５が形成されている。なお、切欠部６５の形状は、ねじりコイルばね７の腕７ａが係合できる形状であれば特に限定されるものではない。なお、「後端部６４」は〔特許請求の範囲〕の「端部」に相当する。
【００１９】
ねじりコイルばね７の二本の腕７ａ，７ｂの角度は、特に限定されるものではないが、小さすぎるとスライドドア６を十分に開閉することができない。本実施形態では、たとえば、１３５°位を想定する。また、スライドドア６を開閉しやすいように、腕７ａ，７ｂは長く形成することが好ましい。
【００２０】
下ハーフ１Ｂの底面１１には、図２に示すように、スライドドア６の下端が嵌め込まれ、スライドドア６の開閉時にスライドドア６をその開閉方向に摺動自在に案内する湾曲した浅いガイド溝１２、ガイド溝１２からスライドドア６の開方向（後方）に離れて形成されるピン１３、さらにピン１３から後方に離れた位置に凸部１４が形成されている。
【００２１】
ピン１３は、ねじりコイルばね７の胴部７ｃを嵌め込める径を有する円柱状をした軸１３ａと、それより一回り大きい径で形成される台１３ｂとからなる。軸１３ａは、ねじりコイルばね７の胴部７ｃを嵌合して、ねじりコイルばね７の回動軸となる。
また、凸部１４には、ねじりコイルばね７の他方の腕７ｂが接して、腕７ａがねじりコイルばね７の付勢力によりスライドドア６を閉方向に付勢する。
なお、ここでは図示しないが、上ハーフ１Ａの内面にも、下ハーフ１Ｂの内面１１に形成されたガイド溝１２、ピン１３に対応するピン１５（図３参照）が形成されている。ピン１５はピン１３と嵌合するため、ピン１５の先端部１５ａが軸１３ａを受け入れるように凹状となっている。
【００２２】
次に、本発明に係る磁気テープカートリッジの組立方法について説明する。なお、本実施の形態では、スライドドア６とねじりコイルばね７をカートリッジケース１の下ハーフ１Ｂに組み付ける場合を想定している。
【００２３】
磁気テープカートリッジＭＣを組み立てるときは、搬送パレット上に、下ハーフ１Ｂ、上ハーフ１Ａ、リール２、ロックプレート３、圧縮コイルばね４、リリースパッド５、スライドドア６、ねじりコイルばね７、板ばね８、誤消去防止爪９、カートリッジメモリ１０等の各部品を配設しておき、各部品の組付工程においては、ロボットハンドを備えた組立装置を使用して各部品を下ハーフ１Ｂの所定位置に組み付けている。
【００２４】
以下、スライドドア６及びねじりコイルばね７の組付作業について説明する。
まず、ねじりコイルばね７の胴部７ｃを下ハーフ１Ｂに形成されたピン１３の軸１３ａに装着するとともに、腕７ｂを凸部１４に接触させる。
次に、スライドドア６の切欠部６５でねじりコイルばね７の腕７ａを付勢力に抗するように後方に押しながら、スライドドア６をガイド溝１２に沿うように配置する。
そして、下ハーフ１Ｂにすべての部品を組み付け終わったら、ピン１３とピン１５が嵌合するように上ハーフ１Ａを上から被せて、磁気テープカートリッジの組立作業を完了する。
【００２５】
以上によれば、本実施形態において、以下の効果を得ることができる。
ねじりコイルばね７の胴部７ｃをカートリッジケースに形成されたピン１３に取り付ければよいので、従来のように各部品の多少のずれによって引張コイルばねが取り付けられなくなるというような問題がなくなり、カートリッジケースにスライドドアとねじりコイルばねを組み付ける作業の自動化を容易に実現することができる。
また、ピン１３にねじりコイルばね７を装着して、スライドドア６をカートリッジケースの底面１１に形成されたガイド溝１２にセットするという簡易な組付方法により、自動化がさらに容易になる。
【００２６】
さらに、ねじりコイルばね７の腕７ａは、スライドドア６の切欠部６ｄに嵌め込まれて接しているので、スライドドア６を閉方向に安定的に付勢することができるとともに、スライドドア６の組付時に、スライドドア６の後端部６４から腕７ａが外れることを防止できる。
【００２７】
磁気テープカートリッジが組み立てられた際には、ピン１３とピン１５が嵌合していることにより、落下等によってカートリッジケースに強い衝撃が加わって、上ハーフ１Ａと下ハーフ１Ｂの間に多少の隙間が生じた場合でも、嵌合部分が完全に外れることはないので、ねじりコイルばね７が外れることがない。
【００２８】
以上、本発明の一実施の形態について説明したが、本発明はこのような実施例にのみ限定されるものではなく、本発明の技術的思想に基づく限りにおいて、種々の変形が可能である。
【００２９】
例えば、本実施の形態では、ねじりコイルばね７の胴部７ｃをピン１３の軸１３ａに外嵌してから、スライドドア６をガイド溝１２に配置して組み付ける場合について説明したが、スライドドア６を先に配置してからねじりコイルばね７を組み付けるようにしてもよい。
【００３０】
また、本実施の形態では、ねじりコイルばね７の腕７ａの形状を特に限定していないが、切欠部６５に係合するように、その先端部を折り曲げるようにしてもよい。このようにすることで、より安定的にスライドドアにねじりコイルばねの腕を係合させることができる。
さらに、本実施の形態では、凸部１４にはなんらの細工もしてないが、スライドドア６と同じように切欠部を形成してもよい。このようにすることで、凸部１４に腕７ｂを安定して当接できる。
【００３１】
【発明の効果】
以上説明したように、本発明によれば、カートリッジケースにドアとねじりコイルばねを組み付ける作業の自動化を容易に実現することができる磁気テープカートリッジを提供することができる。
【図面の簡単な説明】
【図１】本発明に係る磁気テープカートリッジの構成を分解して示す斜視図である。
【図２】図１に示した磁気テープカートリッジに含まれる下ハーフの内面の要部を拡大して示す斜視図である。
【図３】図２に示した磁気テープカートリッジ内の要部拡大断面図（図４に示すＸ−Ｘ線断面図）である。
【図４】図２に示した磁気テープカートリッジ内の要部拡大平面図である。
【符号の説明】
６　　　スライドドア
６４　　後端部（端部）
６５　　切欠部
７　　　ねじりコイルばね
７ａ　　腕
７ｂ　　腕
１２　　ガイド溝
１３　　ピン
１４　　凸部
１５　　ピン
【図１】
2004133995.tif 000003
【図２】
2004133995.tif 000004
【図３】
2004133995.tif 000005
【図４】
2004133995.tif 000006